(57)【要約】      （修正有）【課題】テーブルから滑り落ちることがなく、顔料がはがれずに環境や食物への汚染も防ぐことができる、軟性エコ滑り止めマットを提供する。【解決手段】軟性エコ滑り止めマット１は、エコ材質層１１からなり、エコ材質層１１の上方には図形面１２が印刷され、図形面１２の上方は、保護層１３で密封され、エコ材質層１１の下方には、繊維布層１４が貼られ、繊維布層１４の下方には、滑り止め層１５が貼られ、滑り止め層１５の下方には、滑り止め突起模様１６が分布する。【選択図】図３
0003178488.tif 000002
【実用新案登録請求の範囲】
【請求項１】
少なくともエコ材質層からなる軟性エコ滑り止めマットであって、
エコ材質層の上方には、図形面が印刷され、図形面の上方は、保護層で密封され、エコ材質層の下方には、繊維布層が貼られ、繊維布層の下方には滑り止め層が結合され、滑り止め層の下方には、滑り止め突起模様が分布することを特徴とする、軟性エコ滑り止めマット。
【請求項２】
前記エコ材質層は、廃棄された後に自然に分解される物質でありであり、エコ材質層に含まれる物質は、石（Ｅｃｏ  Ｍａｔｅｒｉａｌ  ｍａｄｅ  ｂｙ  ｓｔｏｎｅ）を研磨した微細粉末からなることを特徴とする、請求項１に記載の軟性エコ滑り止めマット。
【考案の詳細な説明】
【技術分野】
【０００１】
本考案は軟性エコ滑り止めマットに関し、特に滑り止め突起模様を設けることで滑り止め效果を備えさせた軟性エコ滑り止めマットに関する。
【背景技術】
【０００２】
まず、図１と図２を参照する。図１と図２は、従来のテーブルマットの概略図と使用概略図であり、このテーブルマットは、一般的な硬質のテーブルマット１０である。テーブルマット１０は、大部分が、プラスチック材質からなり（プラスチック材質の英語の略称はＰＰである）、テーブルマット１０は、消費者の目を引くために、表面に図形２０が印刷されており、図形２０の設計の良しあしで、消費者が購入するかどうか決めることになる（図１に図示）。また、テーブルマット１０は、硬質のつるつるした表面をもつため、テーブルマット１０のつるつるした表面は、テーブル面３０にぴったり貼りつかせることができず、テーブルマット１０を傾いたテーブル面３０に置いた場合、少しの振動で、滑り落ちてしまい、テーブルマット１０が滑り落ちる時に、その上にのせられたお皿４０も一緒に落ちる。また、硬質のつるつるしたテーブルマット１０の表面に印刷された図形２０の顔料は、使用してこすれると、簡単にはがれてしまい、図形２０から落ちた顔料によって環境が汚染されたり、お皿４０に盛られた食物５０が汚染されたりする（図２に図示）。
【０００３】
テーブルマット１０は、硬質のつるつるした表面により滑り落ちたり、使用しているうちに図形２０の顔料がはがれおちて環境や食物を汚染するといった問題があるため、従来のテーブルマット１０は改良しなければならない。
【考案の概要】
【考案が解決しようとする課題】
【０００４】
そこで、本考案は、テーブルから滑り落ちることがなく、顔料がはがれずに環境や食物への汚染も防ぐことができる、軟性エコ滑り止めマットを提供することを目的とする。
【課題を解決するための手段】
【０００５】
本考案による軟性エコ滑り止めマットは、エコ材質層からなり、エコ材質層の上方には図形面が印刷され、図形面の上方は、保護層で密封され、エコ材質層の下方には、繊維布層が貼られ、繊維布層の下方には、滑り止め層が貼られ、滑り止め層の下方には、滑り止め突起模様が分布する。滑り止め突起模様により、軟性エコ滑り止めマットは、滑り止め効果が向上する。
【０００６】
エコ材質層は、廃棄された後に自然に分解される物質であり、エコ材質層に含まれる物質は、石を研磨した微細粉末からなる。
【図面の簡単な説明】
【０００７】
【図１】従来のテーブルマットの概略図である。
【図２】従来のテーブルマットの使用概略図である。
【図３】本考案の軟性エコ滑り止めマットの斜視図である。
【図４】本考案のエコ材質層の製作を示した説明図である。
【図５】本考案の滑り止め層の製作を示した説明図である。
【図６】本考案の軟性巻きマットの製作を示した説明図である。
【図７】本考案の軟性巻きマットの裁断を示した説明図である。
【考案を実施するための形態】
【０００８】
図３を参照する。図３は、本考案の軟性エコ滑り止めマットの斜視図である。本考案による軟性エコ滑り止めマットの軟性エコ滑り止めマット１には、少なくとも、エコ材質層１１からなる。エコ材質層１１の上方には、図形面１２が印刷され、図形面１２の上方は、保護層１３で密封され、エコ材質層１１の下方には、繊維布層１４が貼られ、繊維布層１４の下方には、滑り止め層１５が貼られ、滑り止め層１５の下方には、滑り止め突起模様１６が分布する。
【０００９】
なお、エコ材質層１１は、廃棄された後に自然に分解される物質であり、エコ材質層１１に含まれる物質は、石を研磨した微細粉末（石を研磨した微細粉末は、ここでは図示しない）からなる。
【００１０】
図４、図５、図６、図７を参照する。図４は、本考案のエコ材質層の製作を示した説明図であり、図５は、本考案の滑り止め層の製作を示した説明図であり、図６は、本考案の軟性巻きマットの製作を示した説明図であり、図７は、本考案の軟性巻きマットの裁断を示した説明図である。軟性エコ滑り止めマット１の製造フローは以下の通りである。まず、丸められたエコ材質層１１の一面に図形面１２を印刷し、図形面１２を、保護層１３で密封する（図４に図示）。また、丸められた滑り止め層１５の一面に、滑り止め突起模様１６を設ける（図５に図示）。そして、丸められたエコ材質層１１に、丸められた繊維布層１４と滑り止め層１５を順番に粘着して結合させ、軟性巻きマット１Ａ（図６に図示）を生成する。その後、さらに、軟性巻きマット１Ａを裁断設備Ａで裁断して軟性エコ滑り止めマット１を生成する（図７に図示）。
【００１１】
本考案の軟性エコ滑り止めマット１の製作に関し、上述したフローをまとめると以下の通りになる。エコ材質層１１の上方に、図形面１２を印刷し、図形面１２をもつ丸められたエコ材質層１１となる（このエコ材質層１１の材質材料は、石を研磨した微細粉末（英語の名称は、Ｅｃｏ  Ｍａｔｅｒｉａｌ  ｍａｄｅ  ｂｙ  ｓｔｏｎｅ）を含む。なお、石を研磨した微細粉末は、この図には描かれていない）。このエコ材質層１１上に、図形面１２のインク、顔料がはがれおちるのを防ぐことができる保護層１３を設ける。さらに、エコ材質層１１の下方に、順番に、丸められた繊維布層１４を貼りつける。そして、この繊維布層１４の底面に、滑り止め效果を備えた滑り止め層１５を塗布、或いは、貼り合わせる。以上により、上下の両方から密閉された軟性巻きマット１Ａを生成することができ、丸められた軟性巻きマット１Ａは、必要なサイズに応じて、裁断され滑り止め效果を備えた軟性エコ滑り止めマット１となる。
【００１２】
軟性エコ滑り止めマット１は、図形面１２を印刷することにより、消費者の目をひくことができ、それと同時に、保護層１３で密封することにより、顔料が図形面１２からはがれおちるのを防ぐことができる。それにより、従来の顔料が落ちるという欠点を改善することができる。また、エコ材質層１１の下方に、繊維布層１４及び滑り止め層１５を貼り、滑り止め層１５の下方に滑り止め突起模様１６を分布させることで、滑り止め突起模様１６により、軟性エコ滑り止めマット１に滑り止め効果を備えさせることができる。
【符号の説明】
【００１３】
（従来技術）
１０        テーブルマット            
２０        図形
３０        テーブル面            
４０        お皿
５０        食物
（本考案）
Ａ          裁断設備          
１          軟性エコ滑り止めマット
１Ａ        軟性巻きマット          
１１        エコ材質層
１２        図形面          
１３        保護層
１４        繊維布層        
１５        滑り止め層
１６        滑り止め突起模様
【図１】
0003178488.tif 000003
【図２】
0003178488.tif 000004
【図３】
0003178488.tif 000005
【図４】
0003178488.tif 000006
【図５】
0003178488.tif 000007
【図６】
0003178488.tif 000008
【図７】
0003178488.tif 000009
【手続補正書】
【提出日】平成24年7月13日(2012.7.13)
【手続補正１】
【補正対象書類名】実用新案登録請求の範囲
【補正対象項目名】請求項２
【補正方法】変更
【補正の内容】
【請求項２】
前記エコ材質層は、廃棄された後に自然に分解される物質でありであり、エコ材質層に含まれる物質は、石を研磨した微細粉末からなることを特徴とする、請求項１に記載の軟性エコ滑り止めマット。